(57)【要約】    【課題】  本発明の目的は、包装鏡餅と包装鏡餅飾り台が確実に固定されるので、取扱い時の安定性が良く包装鏡餅がずり落ちることがなく、且つ意匠性に優れた組み立てが完了した包装鏡餅用飾り台を提供することである。    【解決手段】  ループ屋根部材と底面部材と支持台とからなり、ループ屋根部材が底面部材の側端に接着されて取り付けられ、底面部材は、四角形状の底面部材下板と底面部材上板が折り曲げ可能に連接され、底面部材上板には中央部に穴が形成されるとともに折目と対向する端縁に差込用突出片が延設され、底面部材下板には突出片係止用切込溝と２か所の支持台係止用切込溝が形成されており、底面部材下板上に蓋材が正方形状のブリスター容器に収納された包装鏡餅を載置し、底面部材上板の穴から包装鏡餅の成形部が突出するように底面部材上板を被せて包装鏡餅を挟んで固定できるようにした包装鏡餅用飾り台である。【選択図】    図１
2006001590.tif 000002
【特許請求の範囲】
【請求項１】
両側端部に接着片を備えたループ屋根部材と、４角形状の底面部材下板と底面部材上板が折目線を介して連接され底面部材上板には中央部に穴が形成されるとともに折目線と対向する端縁に差込用突出片が延設され底面部材下板には突出片係止用切込溝と支持台係止用切込溝が形成された底面部材と、上端に係止用突出片が形成された筒状の支持台とからなり、ループ屋根部材を円形状に折り曲げて接着片にて底面部材下板の両側端部に接着し、底面部材下板の支持台係止用切込溝に支持台の係止用突出片を嵌合させて支持台を取り付けた構成からなり、底面部材下板の上面に包装鏡餅を載置し底面部材上板を折り曲げて底面部材上板の穴から包装鏡餅が突出するように被せて底面部材上板の差込用突出片を底面部材下板の突出片係止用切込溝に差込んで嵌合することにより、底面部材の底面部材上板と底面部材下板間に包装鏡餅を挟んで固定できるようにした構成の包装鏡餅用飾り台。
【請求項２】
前記ループ屋根部材と前記底面部材と前記支持台とが金色に着色されている構成からなる請求項１記載の包装鏡餅用飾り台。
【発明の詳細な説明】
【技術分野】
【０００１】
本発明は、包装鏡餅を固定させて取り付けた状態での取扱易さ及び取扱時の安定性に優れるとともに飾り台としての意匠性にも優れた、消費者が組み立てる必要のない組み立てが完了した包装鏡餅用飾り台に関する。
【背景技術】
【０００２】
従来、消費者が鏡餅セットを組み立てて飾り台付き鏡餅を作るのではなく、組み立てが完了した飾り台付き鏡餅としては、鏡餅形容器内に餅を収納した飾り鏡餅を三方の上部台上に載せ、この三方に載せた飾り鏡餅をほぼこの大きさに合致した包装箱内に収容した構成とし、この包装箱の上下高さ方向のほぼ中間部位置に三方の上部台周縁部が当接若しくは近接配置するように設定した飾り鏡餅入り包装箱（例えば、特許文献１参照）、ないしは、上下二段に立体成形された鏡餅本体及び鏡餅本体を載置する台、及び鏡餅本体又は台と一体をなす装飾用品を、一部又は全てを透明としている容器内に収納し、容器によって台の下方、及び周囲を支持し、鏡餅本体を容器又は容器内に設けた用具によって上方から支持するようにした装飾用鏡餅（例えば、特許文献２参照）等が知られている。
【特許文献１】特開２００１−２７８２５６号公報
【特許文献２】特開平１１−２３５２６７号公報
【０００３】
しかしながら、前者の飾り鏡餅入り包装箱は、飾り鏡餅を三方の上部台上に載置した状態で透明材で閉塞した窓部を設けた包装箱内に収容した構成であり、後者の装飾用鏡餅は、鏡餅本体を台上に載置して、一部又は全てを透明としている容器内に収容し、容器により台の下方及び周囲を支持するようにした構成であり、鏡餅を窓部を設けた包装箱ないしは容器内に収容した状態で、外部から鑑賞するようにしたものであるため、包装箱内ないしは容器内に収容された状態では移動自在に配置でき安定な状態を維持できるが、鏡餅を包装箱内ないしは容器から取り出した際には、鏡餅と台が固定されていないため、取扱中に鏡餅が台からずり落ちるおそれがあるという欠点がある。また、鏡餅に装飾品を取り付けないと意匠性が良くないという欠点を有している。
【発明の開示】
【発明が解決しようとする課題】
【０００４】
本発明の目的は、包装鏡餅を飾り台に取り付けた状態での安定性が優れるため取扱時に飾り台が崩れたり包装鏡餅がずれ落ちたりすることがなく、飾り鏡餅としての意匠性に優れ、消費者が飾り台を組み立てて包装鏡餅を飾り台に取り付ける手間を省くことができる組み立てが完了した包装鏡餅用飾り台を提供することである。
【課題を解決するための手段】
【０００５】
両側端部に接着片を備えたループ屋根部材と、４角形状の底面部材下板と底面部材上板が折目線を介して連接され底面部材上板には中央部に穴が形成されるとともに折目線と対向する端縁に差込用突出片が延設され底面部材下板には突出片係止用切込溝と支持台係止用切込溝が形成された底面部材と、上端に係止用突出片が形成された筒状の支持台とからなり、ループ屋根部材を円形状に折り曲げて接着片にて底面部材下板の両側端部に接着し、底面部材下板の支持台係止用切込溝に支持台の係止用突出片を嵌合させて支持台を取り付けた構成からなり、底面部材下板の上面に包装鏡餅を載置し底面部材上板を折り曲げて底面部材上板の穴から包装鏡餅が突出するように被せて底面部材上板の差込用突出片を底面部材下板の突出片係止用切込溝に差込んで嵌合することにより、底面部材の底面部材上板と底面部材下板間に包装鏡餅を挟んで固定できるようにした構成の包装鏡餅用飾り台である。
【０００６】
前記ループ屋根部材と前記底面部材と前記支持台とが金色に着色されている構成からの包装鏡餅用飾り台である。
【発明の効果】
【０００７】
本発明の構成とすることにより、蓋材が正方形状のブリスター容器に収納された包装鏡餅を、底面部材の底面部材下板の上面に載置して底面部材上板を折目線にて折り曲げ底面部材上板の穴から包装鏡餅の成形部が突出するように被せて包装鏡餅を挟み込み、底面部材下板の突出片係止用切込溝に底面部材上板の差込用突出片を差込み、包装鏡餅を底面部材の底面部材上板と底面部材下板間に挟み込んで固定させることができるので、包装鏡餅を取り付けた包装鏡餅用飾り台を移動させたり持ち運びする際に包装鏡餅用飾り台の形状が崩れたり包装鏡餅がずれ落ちることがない、意匠性の優れた包装鏡餅用飾り台とすることができるものである。
【０００８】
請求項２にかかる発明では、金色に着色することにより、より豪華に見える意匠性の優れた包装鏡餅用飾り台とすることができる。
【発明を実施するための最良の形態】
【０００９】
以下、図面を引用して本発明の実施の形態を説明する。
図１は本発明の包装鏡餅用飾り台の実施形態を示す斜視図、図２は実施形態のループ屋根部材を作製するブランク板を示す平面図、図３は実施形態の底面部材を作製するブランク板を示す平面図、図４はループ屋根部材を底面部材に接着した斜視図、図５は底面部材を折り曲げて固定した状態の斜視図、図６は実施形態の支持台を示す（イ）はブランク板の平面図で（ロ）は組み立てた状態の斜視図、図７は包装鏡餅の斜視図、図８は実施形態の包装鏡餅用飾り台に包装鏡餅を取り付けた斜視図であり、１は包装鏡餅、11は蓋材、12は鏡餅収納部、２はループ屋根部材、2'はループ屋根部材ブランク板、21は接着片、３は底面部材、3'は底面部材ブランク板、31は底面部材下板、32は底面部材上板、33は折目線、34は突出片係止用切込溝、35a, 35bは支持台係止用切込溝、36は差込用突出片、37は穴、４は支持台、4'は支持台ブランク板、41は係止用突出片、42は係止用差込片、43は係止用切込溝、5a, 5bは接着部をそれぞれ表す。
【００１０】
本発明の包装鏡餅用飾り台の実施形態は、図１に示すとおりであって、ループ屋根部材２が接着されて取り付けられた底面部材３の下部に、支持台４の係止用突出片41を底面部材３の支持台係止用切込溝35a, 35bに差し込んで係止することにより支持台４が取り付けられた構成である。
【００１１】
ループ屋根部材２を作製するためのループ屋根部材ブランク板2'は、図２に示すように、両側端部が接着片21とされた横長の台形状であり、底面部材３を作製するための底面部材ブランク板3'は、図３に示すように、四角形状の底面部材下板31と底面部材上板32が折目線33を介して折り曲げ可能に連接され、底面部材下板31には突出片係止用切込溝34と２か所の支持台係止用切込溝35a,35b が形成され、底面部材上板32には中央部に穴37が形成されるとともに折目線33と対向する端縁に差込用突出片36が延設された形状である。
【００１２】
図２に示すループ屋根部材ブランク板2'を円形状に折り曲げて両側端の接着片21を、図３に示す底面部材ブランク板3'の底面部材下板31の両側端部の下面に接着して、図４に示す、底面部材３にループ屋根部材２を取り付けた状態とする。図４に示す状態から、底面部材上板32を底面部材下板31面上に折り重ね底面部材上板32に延設されている差込用突出片36を折り曲げて底面部材下板31に形成されている突出片係止用切込溝34に挿入して底面部材下板31と底面部材上板32を折り曲げて固定できるので、底面部材下板31と底面部材上板32間に包装鏡餅を挟み込んで取り付けることができるものである。
【００１３】
実施形態にて使用する支持台３は、図６（イ）に示す支持台ブランク板4'を組み立てて作製されるもので、図６（ロ）に示す形状である。支持台ブランク板4'は、図６（イ）に示すように、横長の長方形状であって、上端に円形に成型した際に対向する位置にくるように２箇所の係止用突出片41が延設され、一方の側端には側端から突出するように２か所の係止用差込片42が形成され、他方の側端部には側端より所定距離だけ内側の位置に２か所の係止用差込片42を係止するための係止用切込溝43が形成されている。この支持台ブランク板4'を円形状に折り曲げて２箇所の係止用差込片42を対応する２か所の係止用切込溝43に嵌合係止することにより、図６（ロ）に示す支持台４が作製される。なお、支持台ブランク板は、上記の実施形態の形状とするのではなく、両側端部に形成される係止用差込片及び対応する２か所の係止用切込溝をなくした形状として、両側端部を所定幅だけ重ね合わせて接着した構成としてもよい。
【００１４】
図４に示すループ屋根部材２が取り付けられた底面部材３の底面部材下板31に形成された２か所の支持台係止用切込溝35a,35b に、図６（ロ）に示す支持台４の上端に延設されている２箇所の係止用突出片41を差し込んで係止することにより支持台４をループ屋根部材２が取り付けられた底面部材３に取り付けて固定できるので、実施形態の包装鏡餅用飾り台の底面部材３の開いた状態となる。この状態から、底面部材上板32を底面部材下板31面上に折り重ねて底面部材上板32に延設されている差込用突出片36を折り曲げて底面部材下板31に形成されている突出片係止用切込溝34に挿入することにより底面部材下板31と底面部材上板32を固定して、図１に示す実施形態の包装鏡餅用飾り台とする。
【００１５】
実施形態の包装鏡餅用飾り台に取り付ける包装鏡餅１は、図７に示すとおり、プラスチックフィルムからなる容器材を鏡餅の形状に熱成型して形成された収納部12を有するブリスター容器に鏡餅を収納して、プラスチックフィルムからなる蓋材11を熱接着により取り付けて密封された構成であり、蓋材11は鏡餅の直径より大きい一辺を有する正方形状とされている。
【００１６】
図１に示す実施形態の包装鏡餅用飾り台の底面部材３の底面部材上板32を差込用突出片36を突出片係止用切込溝34から外して広げた状態で、底面部材下板31面上に、図７に示す収納部12と正方形状の蓋材11を備えたブリスター包装容器に密封された包装鏡餅１を載置して、底面部材上板32の穴37から包装鏡餅１の収納部12が突出するように底面部材上板32を底面部材下板31面上に折り重ねて、底面部材上板32の差込用突出片36を突出片係止用切込溝34に差し込んで固定することにより、底面部材３の底面部材下板31と底面部材上板32間に包装鏡餅１の蓋材11が挟まれた状態で固定された、図８に示す飾り台付き包装鏡餅が完成する。
【００１７】
図８に示す状態では、包装鏡餅１の収納部12が底面部材上板32の穴37から突出した状態で包装鏡餅１の蓋材11が底面部材下板31と底面部材上板32間に挟まれて確実に固定されるので、図８に示す飾り台付き包装鏡餅を持ち運びしたり移動させたりした場合でも、飾り台が崩れたり、飾り台に取り付けられた包装鏡餅がずれ落ちることがないので、飾り台付き包装鏡餅の取扱がきわめて容易となる。また、実施形態の包装鏡餅用飾り台は意匠性に優れるものであるが、包装鏡餅用飾り台を構成するループ屋根部材２、底面部材３、支持台４を金色に着色した素材にて作製することにより、更に意匠性の優れた包装鏡餅用飾り台とすることができる。
【００１８】
包装鏡餅用飾り台を構成するループ屋根型装飾材２と底面部材３と支持台４は、板紙単体ないしはアルミニウム箔と板紙の積層体により作製されるが、本発明のように金着色したアルミニウム箔と板紙の積層体によりループ屋根型装飾材２と底面部材３と支持台４を作製することにより、より意匠性の優れたものとすることができる。板紙単体を使用する際は、金色インキにて印刷するかないしは所定の色に印刷して着色される。板紙としては、マニラボール、白ボール等が使用され、板紙の厚さとしてはある程度の剛性が得られるように比較的厚い３００〜５００ｇ／ｍ2 のものを使用するのが適当である。
【００１９】
包装鏡餅を作製するためのプラスチックフィルムは、容器材の構成としては、未延伸ポリプロピレン（ＣＰＰ）／エチレン−ビニルアルコール共重合体（ＥＶＯＨ）／ＣＰＰ、ＣＰＰ／ＥＶＯＨ／線状低密度ポリエチレン（ＬＬＤＰＥ）、非晶質ポリエステル（Ａ−ＰＥＴ）／ＥＶＯＨ／ＣＰＰ、Ａ−ＰＥＴ／ＥＶＯＨ／ＬＬＤＰＥ等であり、蓋材の構成としては、ＣＰＰ／ＥＶＯＨ／ＣＰＰ、ＣＰＰ／ＥＶＯＨ／ＬＬＤＰＥ、２軸延伸ポリエチレンテレフタレート（ＰＥＴ）／ＥＶＯＨ／ＣＰＰ、ＰＥＴ／ＥＶＯＨ／ＬＬＤＰＥ、金属又は金属酸化物蒸着２軸延伸ポリエチレンテレフタレート（ＶＭＰＥＴ）／ＬＬＤＰＥ、ＶＭＰＥＴ／ＣＰＰ等である。
【図面の簡単な説明】
【００２０】
【図１】本発明の包装鏡餅用飾り台の実施形態を示す斜視図。
【図２】実施形態のループ屋根部材を作製するブランク板を示す平面図。
【図３】実施形態の底面部材を作製するブランク板を示す平面図。
【図４】ループ屋根部材を底面部材に接着した斜視図。
【図５】底面部材を折り曲げて固定した状態の斜視図。
【図６】実施形態の支持台を示す（イ）はブランク板の平面図で（ロ）は組み立てた状態の斜視図。
【図７】包装鏡餅の斜視図。
【図８】実施形態の包装鏡餅用飾り台に包装鏡餅を取り付けた斜視図。
【符号の説明】
【００２１】
１  包装鏡餅
11  蓋材
12  鏡餅収納部
２  ループ屋根部材
2'  ループ屋根部材ブランク板
21  接着片
３  底面部材
3'  底面部材ブランク板
31  底面部材下板
32  底面部材上板
33  折目線
34  突出片係止用切込溝
35a, 35b  支持台係止用切込溝
36  差込用突出片
37  穴
４  支持台
4'  支持台ブランク板
41  係止用突出片
42  係止用差込片
43  係止用切込溝
5a, 5b  接着部
【図１】
2006001590.tif 000003
【図２】
2006001590.tif 000004
【図３】
2006001590.tif 000005
【図４】
2006001590.tif 000006
【図５】
2006001590.tif 000007
【図６】
2006001590.tif 000008
【図７】
2006001590.tif 000009
【図８】
2006001590.tif 000010